(57)【要約】      （修正有）【課題】製造コストを上げることなく、使用者にとっての操作性を向上させ、手を放した状態で影絵を見ることのできる絵本を提供する。【解決手段】一端が綴られた複数枚のページシートを有する絵本であって、ページシートは、影絵を作成するための模様が形成されている影絵作成部を備える。影絵作成部は、ページシートの厚み方向における一方側に配置される光源からの光を透過させると共に、厚み方向における他端側に配置される投影領域に影絵を投影させる。複数枚のページシートのうち、光が照射される対象となる対象ページシートの姿勢を保持する姿勢保持構造を備え、姿勢保持構造は、対象ページシートと、対象ページシートに隣接する隣接ページシートとを連結する連結部材によって構成されている。【選択図】図１
0003159260.tif 000002
【実用新案登録請求の範囲】
【請求項１】
一端が綴られた複数枚のページシートを有する絵本であって、
前記ページシートは、影絵を作成するための模様が形成されている影絵作成部を備えており、
前記影絵作成部は、前記ページシートの厚み方向における一方側に配置される光源からの光を透過させると共に、前記厚み方向における他端側に配置される投影領域に影絵を投影させることを特徴とする絵本。
【請求項２】
前記影絵を作成する場合において、複数枚の前記ページシートのうち、光が照射される対象となる対象ページシートの姿勢を保持する姿勢保持構造を備え、
前記姿勢保持構造は、前記対象ページシートと、当該対象ページシートに隣接する隣接ページシートとを連結する連結部材によって構成されていることを特徴とする請求項１記載の絵本。
【請求項３】
前記ページシートは、前記光源からの光を受光して拡散させる非透光性の光拡散部を有し、
前記光拡散部は、前記ページシートの平面方向において前記影絵作成部と隣接する位置に配置されることを特徴とする請求項１または２記載の絵本。
【考案の詳細な説明】
【技術分野】
【０００１】
本考案は、一端が綴られた複数枚のページシートを有する絵本に関する。
【背景技術】
【０００２】
従来の絵本として、例えば特許文献１に示すものが知られている。従来の絵本は、複数枚のページシートを一端で綴ることによって構成されている。各ページシートには、絵や文字が記載されており、保護者がページシートをめくりながらそれぞれの絵を子供に見せつつ、子供にストーリーを読み聞かせていた。
【先行技術文献】
【特許文献】
【０００３】
【特許文献１】特開２００３−２２０２８３号公報
【考案の概要】
【考案が解決しようとする課題】
【０００４】
しかしながら、従来の絵本にあっては、ページシートに描かれている絵が子供にとって見えやすくなるように絵本を保持しなくてはならず、使用者にとっての操作性という点において問題が生じていた。このような問題は、複数人の子供に絵を見せる場合に顕著であった。一方、投射装置に絵が描かれたフィルムピースを挿入することで、絵を投影させて子供に見せるものが知られているが、このような投射装置は、絵本に比して材料コストや作業コストなどの製造コストが大幅に高くなる。結果として、入手するためのコストも大幅に上がってしまうという問題がある。
【０００５】
本考案は、このような課題を解決するためになされたものであり、製造コストを上げることなく、使用者にとっての操作性を向上させることのできる絵本を提供することを目的とする。
【課題を解決するための手段】
【０００６】
本考案に係る絵本は、一端が綴られた複数枚のページシートを有する絵本であって、ページシートは、影絵を作成するための模様が形成されている影絵作成部を備えており、影絵作成部は、ページシートの厚み方向における一方側に配置される光源からの光を透過させると共に、厚み方向における他端側に配置される投影領域に影絵を投影させることを特徴とする。
【０００７】
本考案に係る絵本によれば、光源（例えば懐中電灯などの一般的に家庭にあるもの）を用いてページシートに照射するだけで、投影領域に影絵を投影させることが可能となる。これによって、使用者は光源を所定の位置にセットし、ページシートをめくるだけの動作で、大きな影絵を子供に確実に見せることができる。また、絵本のページシートに影絵作成部を形成するだけの構成であるため、投射装置などに比して製造コストを大幅に低減することができる。以上によって、製造コストを上げることなく、使用者にとっての操作性を向上させること
【０００８】
また、本考案に係る絵本では、影絵を作成する場合において、複数枚のページシートのうち、光が照射される対象となる対象ページシートの姿勢を保持する姿勢保持構造を備え、姿勢保持構造は、対象ページシートと、当該対象ページシートに隣接する隣接ページシートとを連結する連結部材によって構成されていることが好ましい。姿勢保持構造によって対象ページシートの姿勢が保持されるため、使用者はページシートをめくった後、手を放した状態で子供に影絵を見せることができる。
【０００９】
ここで、本考案者らは、鋭意研究の結果、次のことを見出した。例えば、投影装置によってフィルムに描かれている模様を投影する場合は、当該模様に対して直接光源の光を照射する必要があるが、本考案に係る絵本においては、影絵作成部に直接光源の光を照射した場合、光が強すぎることで良好な影絵を得難いことを見出した。更に研究を重ねた結果、本考案者らは、光源の光を一度拡散させた状態で影絵作成部を透過させることが好ましいことを見出した。
【００１０】
従って、本考案に係るページシートは、光源からの光を受光して拡散させる非透光性の光拡散部を有し、光拡散部は、平面方向において影絵作成部と隣接する位置に配置されることが好ましい。影絵作成部に隣接する位置において光源の光を一度光拡散部で拡散させることにより、一層鮮明な影絵を作成することができる。
【考案の効果】
【００１１】
本考案によれば、製造コストを上げることなく、使用者にとっての操作性を向上させることができる。
【図面の簡単な説明】
【００１２】
【図１】本考案の実施形態に係る絵本１の斜視図である。
【考案を実施するための形態】
【００１３】
図１を参照して、本考案に係る絵本の具体的な構成について説明する。図１は、本考案の実施形態に係る絵本１の斜視図である。図１に示すように、絵本１は、複数枚のページシート２を一端におけるページ固定部３で綴ることによって構成されている。この絵本１は、テーブルや台などの所定の設置場所ＦＥに、開いた状態で設置される。また、絵本１を開いたとき、ページシート２のうちの一枚のページシート２Ａ（光が照射される対象となるページシートであり、以下の説明においては「対象ページシート」と称する）が、後述の姿勢保持構造６によって垂直に立ち上がる。絵本１は、影絵ＳＰを投影するための部屋の壁などの投影領域ＶＥに対して、対象ページシート２Ａが略平行をなすように設置される。更に、投影領域ＶＥの反対側には、懐中電灯や携帯型ライトなどの光源ＬＳが設置される。
【００１４】
ページシート２は、投影領域ＶＥに影絵ＳＰを作成するための模様が形成されている影絵作成部４と、光源ＬＳからの光を受光して拡散させる光拡散部５を備えている。ページシート２は、従来の絵本で用いられている厚紙によって構成されていてもよく、あるいは、強度を確保するためにプラスチックなどによって構成されていてもよく、特に材質は限定されない。影絵作成部４は、ページシート２の一部の領域を矩形状に刳り貫き、当該領域に切り絵などを配置することによって構成されている。影絵作成部４は、貫通することで光源ＬＳの光を透過させる透光部分４ａと、模様の形状を有して光源ＬＳの光を遮断する遮断部分４ｂとを備えている。なお、影絵作成部４の透光部分４ａに色付き、あるいは無色のフィルムを貼り付けてもよい。更に、影絵作成部４に遮断部分４ｂが設けられていなくともよく、透光性のフィルムのみによって模様が描かれていてもよい。なお、図１においては、対象ページシート２Ａのみに影絵作成部４の模様が記載され、他のページシート２の影絵作成部の模様は構成を明確にするために省略されている。
【００１５】
光拡散部５は、ページシート２の平面方向において影絵作成部４と隣接する位置に配置されている。具体的に、光拡散部５は、影絵作成部４とページ固定部３との間の領域に形成されている。光拡散部５は、光を透過させずに拡散させる非透光性の領域である。光源ＬＳからの光は、光拡散部５に照射され、拡散された状態で影絵作成部４に入射する。光拡散部５には、影絵作成部４の模様に沿った物語を示す文字が記載されている。ページシート２のうち、文字が記載される面、すなわち光が照射される面を表面２ａとし、投影領域ＶＥと対向する面を裏面２ｂとした場合、表面２ａは全面にわたって黒色とされていることが好ましい。また、文字は白色などの薄い色とすることが好ましく、蛍光塗料などによって記載してもよい。なお、本実施形態において、光源ＬＳの光を照射するとは、光源ＬＳの光軸ＬＡを当てることである。
【００１６】
絵本１は、開いたときに対象ページシート２Ａが立設された姿勢を保持する姿勢保持構造６を備えている。具体的に、姿勢保持構造６は、対象ページシート２Ａと、当該対象ページシートに隣接する隣接ページシート２Ｂ，２Ｃとを連結する連結部材７，８によって構成されている。なお、対象ページシート２Ａの表面２ａ側で隣接するページシートを隣接ページシート２Ｂとし、裏面２ｂ側で隣接するページシートを隣接ページシート２Ｃとする。連結部材７は、帯状の紙片によって構成されており、一方の端部が対象ページシート２Ａの表面２ａに貼り付けられ、他方の端部が隣接ページシート２Ｂの裏面２ｂに貼り付けられている。また、連結部材８は、帯状の紙片によって構成されており、一方の端部が対象ページシート２Ａの裏面２ｂに貼り付けられ、他方の端部が隣接ページシート２Ｃの表面２ａに貼り付けられている。連結部材７，８は、ページ固定部３付近において各ページシート２を連結している。対象ページシート２Ａは、連結部材７によって隣接ページシート２Ｂに引っ張られ、連結部材８によって隣接ページシート２Ｃに引っ張られることによって、垂直に立設された姿勢を維持することができる。また、一方の連結部材７は幅方向における一端側に配置され、他方の連結部材８は幅方向における他端側に配置されている。このような連結部材７，８は、全てのページシート２に対して設けられており、幅方向における両端側に互い違いに設けられている。従って、連結部材を幅方向における一端側にのみ設けた場合は、絵本１を閉じたときの厚みが一端側で厚くなってしまうが、両端に互い違いに設けることで、絵本１の厚みを均一にすることができる。なお、対象ページシート２Ａは、ページをめくることで順次別のページシート２に変更される。対象ページシート２Ａをめくるとき、ページシート同士が連結部材８で連結されているため、隣接ページシート２Ｃも連動してめくられる。
【００１７】
光源ＬＳは、使用者が手で持った状態であっても、所定の位置に設置した状態でもよい。使用者は、投影領域ＶＥに投影された影絵ＳＰを見ながら光源ＬＳを移動させ、影絵ＳＰが鮮明になるような最適な位置を調整することができる。なお、光源ＬＳの照射角度は、光拡散部５の照射ポイントＰに対し、下方から照射するような角度とするよりも、上方から照射する（すなわち、光軸ＬＡが水平方向に対して上側に傾斜するように照射する）ような角度とするほうが、一層鮮明な影絵ＳＰを得ることができる。また、対象ページシート２Ａと投影領域ＶＥとの間の距離Ｄは、要求する影絵ＳＰの大きさに合わせて適宜変更することができるが、大きくて見やすい影絵ＳＰを得るためには約１〜２ｍ程度とすることが好ましい。
【００１８】
次に、本実施形態に係る絵本１の作用・効果について説明する。
【００１９】
本実施形態に係る絵本１においては、光源ＬＳの光を光拡散部５の照射ポイントＰに照射し、拡散させた状態で影絵作成部４に入射させ、対象ページシート２Ａの裏面２ｂ側に配置された後方の投影領域ＶＥに影絵ＳＰを投影することができる。以上のように、絵本１によれば、懐中電灯などの一般的に家庭にあるような光源ＬＳを用いてページシート２に照射するだけで、投影領域ＶＥに影絵ＳＰを投影させることが可能となる。これによって、使用者は光源ＬＳを所定の位置にセットし、ページシート２をめくるだけの動作で、大きな影絵ＳＰを子供に確実に見せることができる。また、絵本１のページシート２に影絵作成部４を形成するだけの構成であるため、投射装置などに比して製造コストを大幅に低減することができる。以上によって、製造コストを上げることなく、使用者にとっての操作性を向上させることができる。
【００２０】
また、本実施形態に係る絵本１では、影絵ＳＰを作成する場合において、対象ページシート２Ａの姿勢を保持する姿勢保持構造６を備え、姿勢保持構造６は、対象ページシート２Ａと、当該対象ページシート２Ａに隣接する隣接ページシート２Ｂ，２Ｃとを連結する連結部材７，８によって構成されている。このように、姿勢保持構造６によって対象ページシート２Ａの姿勢が保持されるため、使用者はページシート２をめくった後は、手を放した状態で子供に影絵ＳＰを見せることができる。
【００２１】
また、本実施形態に係るページシート２は、光源ＬＳからの光を受光して拡散させる光拡散部５を有している。影絵作成部４に隣接する位置において光源ＬＳの光を一度光拡散部５で拡散させることにより、一層鮮明な影絵を作成することができる。
【００２２】
本考案は、上述の実施形態に限定されるものではない。例えば、上述の実施形態では、ページシート２を連結部材７，８によって表面２ａ及び裏面２ｂの両側から支える構成となっていたが、少なくとも一方のみから支える構成であってもよい。また、連結部材の構成も帯状の部材に限定されず、図中に二点鎖線で示すように、ページシート２の縁部同士を連結するような連結部材１０であってもよい。
【００２３】
また、絵本１が、光源ＬＳを適切な場所・角度に設置できるようなピース状の台座を有していてもよい。例えば、絵本１が切り離し可能な綴じ込みページシートを有し、これを切り離して折りたたんで加工することで、懐中電灯を適切な角度から照射できるような台座を形成できてもよい。また、台座における懐中電灯との接触部分を大きく湾曲させることで、どのような大きさの懐中電灯を用いても、台座の中央位置に位置決めできる。また、絵本１の表紙などに、折りたたんで加工することで台座として使用できるような構成を設けてもよい。例えば、表紙の一部のピースを外側へ折り返すことで光源ＬＳ側に出し、台座状に加工することで、懐中電灯を適切な距離・角度から照射できるような構成としてもよい。あるいは、絵本１の光源ＬＳ側において対象ページシート２Ａと平行となるようなシートを立設させ、当該シートにクリップ付のライトを固定する構成としてもよい。
【符号の説明】
【００２４】
１…絵本、２…ページシート、２Ａ…対象ページシート、２Ｂ，２Ｃ…隣接ページシート、４…影絵作成部、５…光拡散部、６…姿勢保持構造、７，８…連結部材、ＶＥ…投影領域、ＬＳ…光源、ＳＰ…影絵。
【図１】
0003159260.tif 000003